(57)【要約】【課題】アンテナアンプ電流を検出することなく、接続されているアンテナの種類を判断する。【解決手段】受信装置１において、チューナ部１１は、制御部１０の制御に応じてシーク選局を行うことにより、所定の周波数範囲内で受信周波数を連続的に変化させたときにアンテナ２で受信された放送信号の受信状況を検出する。制御部１０は、電源回路１４から電源電圧を出力していないときのシーク選局においてチューナ部１１により検出された放送信号の受信状況と、電源回路１４から電源電圧を出力しているときのシーク選局においてチューナ部１１により検出された放送信号の受信状況とを比較し、その比較結果に基づいて、アンテナ２がアクティブアンテナとパッシブアンテナのいずれであるかを判断する。【選択図】図１
2013197983.tif 000002
【特許請求の範囲】
【請求項１】
アンテナと接続され、前記アンテナはアンテナアンプを有するアクティブアンテナまたは前記アンテナアンプを有しないパッシブアンテナのいずれかである受信装置であって、
所定の周波数範囲内で受信周波数を連続的に変化させたときに前記アンテナで受信された放送信号の受信状況を検出する受信状況検出手段と、
前記アンテナアンプへ電源を供給するための電源電圧を出力する電源供給手段と、
前記電源供給手段から前記電源電圧を出力していないときに前記受信状況検出手段により検出された前記放送信号の受信状況と、前記電源供給手段から前記電源電圧を出力しているときに前記受信状況検出手段により検出された前記放送信号の受信状況とを比較し、その比較結果に基づいて、前記アンテナが前記アクティブアンテナと前記パッシブアンテナのいずれであるかを判断するアンテナ判断手段とを備えることを特徴とする受信装置。
【請求項２】
請求項１に記載の受信装置において、
前記受信状況検出手段は、前記放送信号の受信状況として受信可能局数を検出し、
前記アンテナ判断手段は、前記電源供給手段から前記電源電圧を出力していないときの受信可能局数と、前記電源供給手段から前記電源電圧を出力しているときの受信可能局数とを比較することを特徴とする受信装置。
【請求項３】
請求項２に記載の受信装置において、
前記アンテナ判断手段は、
前記電源供給手段から前記電源電圧を出力していないときの受信可能局数と、前記電源供給手段から前記電源電圧を出力しているときの受信可能局数とが一致する場合は、前記アンテナが前記パッシブアンテナであると判定し、
前記電源供給手段から前記電源電圧を出力していないときの受信可能局数と、前記電源供給手段から前記電源電圧を出力しているときの受信可能局数とが異なる場合は、前記アンテナが前記アクティブアンテナであると判定することを特徴とする受信装置。
【請求項４】
請求項１乃至３のいずれか一項に記載の受信装置において、
前記受信状況検出手段は、前記放送信号の受信状況として、受信可能局に対する電界強度を検出し、
前記アンテナ判断手段は、前記電源供給手段から前記電源電圧を出力していないときの受信可能局に対する電界強度と、前記電源供給手段から前記電源電圧を出力しているときの受信可能局に対する電界強度とを比較することを特徴とする受信装置。
【請求項５】
請求項４に記載の受信装置において、
前記アンテナ判断手段は、
前記電源供給手段から前記電源電圧を出力していないときの受信可能局に対する電界強度と、前記電源供給手段から前記電源電圧を出力しているときの受信可能局に対する電界強度との差が所定の範囲内である場合は、前記アンテナが前記パッシブアンテナであると判定し、
前記電源供給手段から前記電源電圧を出力していないときの受信可能局に対する電界強度と、前記電源供給手段から前記電源電圧を出力しているときの受信可能局に対する電界強度との差が前記範囲外である場合は、前記アンテナが前記アクティブアンテナであると判定することを特徴とする受信装置。
【請求項６】
請求項１乃至５のいずれか一項に記載の受信装置において、
前記アンテナ判断手段により前記アンテナが前記パッシブアンテナであると判定された場合と、前記アンテナ判断手段により前記アンテナが前記アクティブアンテナであると判定された場合とで、互いに異なる受信パラメータを設定する受信パラメータ設定手段をさらに備えることを特徴とする受信装置。
【請求項７】
請求項１乃至６のいずれか一項に記載の受信装置において、
前記アンテナ判断手段により前記アンテナが前記パッシブアンテナであると判定された場合、前記電源供給手段は、前記電源電圧の出力を停止することを特徴とする受信装置。
【請求項８】
請求項１乃至７のいずれか一項に記載の受信装置において、
前記アンテナ判断手段により前記アンテナが前記アクティブアンテナであると判定された場合、前記電源供給手段は、前記放送信号の電界強度が所定値以上であるときに前記電源電圧の出力を停止することを特徴とする受信装置。
【請求項９】
アンテナと接続され、前記アンテナはアンテナアンプを有するアクティブアンテナまたは前記アンテナアンプを有しないパッシブアンテナのいずれかである受信装置による放送受信方法であって、
前記アンテナアンプへ電源を供給するための電源電圧を出力せずに所定の周波数範囲内で受信周波数を連続的に変化させたときに前記アンテナで受信された放送信号の受信状況を、前記受信装置により第一の受信状況として検出し、
前記電源電圧を出力して前記周波数範囲内で受信周波数を連続的に変化させたときに前記アンテナで受信された前記放送信号の受信状況を、前記受信装置により第二の受信状況として検出し、
前記第一の受信状況と前記第二の受信状況とを比較し、その比較結果に基づいて、前記アンテナが前記アクティブアンテナと前記パッシブアンテナのいずれであるかを判断することを特徴とする放送受信方法。
【発明の詳細な説明】
【技術分野】
【０００１】
本発明は、車両等に搭載されて放送を受信する受信装置と、この受信装置を用いた放送受信方法とに関する。
【背景技術】
【０００２】
従来、異なるタイプのアンテナを接続可能な受信装置において、接続されているアンテナのタイプを検出し、そのアンテナのタイプに応じてチューナ特性を設定するものが知られている（特許文献１参照）。
【先行技術文献】
【特許文献】
【０００３】
【特許文献１】特開２００６−２７０６８５号公報
【発明の概要】
【発明が解決しようとする課題】
【０００４】
特許文献１に開示された受信装置では、アンテナアンプ電流を検出することにより、接続されているアンテナにおけるアンテナアンプの有無を判断し、その判断結果に基づいてアンテナのタイプを検出する。そのため、アンテナアンプ電流を検出するための回路が必要となる。
【課題を解決するための手段】
【０００５】
本発明による受信装置は、アンテナと接続され、このアンテナはアンテナアンプを有するアクティブアンテナまたはアンテナアンプを有しないパッシブアンテナのいずれかであって、所定の周波数範囲内で受信周波数を連続的に変化させたときにアンテナで受信された放送信号の受信状況を検出する受信状況検出手段と、アンテナアンプへ電源を供給するための電源電圧を出力する電源供給手段と、電源供給手段から電源電圧を出力していないときに受信状況検出手段により検出された放送信号の受信状況と、電源供給手段から電源電圧を出力しているときに受信状況検出手段により検出された放送信号の受信状況とを比較し、その比較結果に基づいて、アンテナがアクティブアンテナとパッシブアンテナのいずれであるかを判断するアンテナ判断手段とを備える。
本発明による放送受信方法は、アンテナと接続され、このアンテナはアンテナアンプを有するアクティブアンテナまたはアンテナアンプを有しないパッシブアンテナのいずれかである受信装置によるものであって、アンテナアンプへ電源を供給するための電源電圧を出力せずに所定の周波数範囲内で受信周波数を連続的に変化させたときにアンテナで受信された放送信号の受信状況を、受信装置により第一の受信状況として検出し、電源電圧を出力して周波数範囲内で受信周波数を連続的に変化させたときにアンテナで受信された放送信号の受信状況を、受信装置により第二の受信状況として検出し、第一の受信状況と第二の受信状況とを比較し、その比較結果に基づいて、アンテナがアクティブアンテナとパッシブアンテナのいずれであるかを判断する。
【発明の効果】
【０００６】
本発明によれば、アンテナアンプ電流を検出することなく、接続されているアンテナの種類を判断することができる。
【図面の簡単な説明】
【０００７】
【図１】本発明の一実施形態による受信装置の構成を示すブロック図である。
【図２】本発明の一実施形態による受信装置の処理を示すフローチャートである。
【発明を実施するための形態】
【０００８】
図１は、本発明の一実施形態による受信装置１の構成を示すブロック図である。受信装置１は、アンテナ２およびスピーカ３と接続されており、制御部１０、チューナ部１１、音声処理部１２、音声増幅部１３、電源回路１４および記憶部１５を備えている。なお、受信装置１は、たとえばラジオ放送局から放送されるラジオ放送を受信するものであり、車両に搭載されて使用される。
【０００９】
受信装置１には、アンテナ２として、図１（ａ）、図１（ｂ）にそれぞれ示すような異なるタイプのアンテナを接続可能である。図１（ａ）は、アンテナアンプ２０を備えたアンテナ２が受信装置１に接続されている場合の例を示している。以下では、こうしたアンテナをアクティブアンテナと称する。たとえば、車両のリアガラス等に貼り付けられて使用されるフィルムアンテナなどがこのアクティブアンテナに該当する。一方、図１（ｂ）は、アンテナアンプ２０を備えていないアンテナ２が受信装置１に接続されている場合の例を示している。以下では、こうしたアンテナをパッシブアンテナと称する。たとえば、車両のルーフ等に設置されて使用されるロッドアンテナなどがこのパッシブアンテナに該当する。
【００１０】
なお、アンテナ２が図１（ａ）に示すようなアクティブアンテナである場合、アンテナ２で受信された放送信号は、アンテナアンプ２０により増幅されてチューナ部１１へ入力される。一方、アンテナ２が図１（ｂ）に示すようなパッシブアンテナである場合、アンテナ２で受信された放送信号は、増幅されずにそのままチューナ部１１へ入力される。
【００１１】
制御部１０は、チューナ部１１、音声処理部１２、音声増幅部１３、電源回路１４および記憶部１５の各部の動作を所定の制御プログラムに基づいてそれぞれ制御することにより、受信装置１全体の動作を制御する。この制御部１０は、たとえばマイクロコンピュータを用いて実現される。
【００１２】
チューナ部１１は、アンテナ２で受信された放送信号を入力し、その放送信号からユーザに選局されたチャンネルの放送信号を選択して復調することで音声信号を得る。このとき、予め設定された所定の受信パラメータに基づく受信処理を行う。ここでは、たとえば音声レベルの調整、リミッタ感度の調整、音声レベル低下時のミュート処理等を、これらの処理に対してそれぞれ設定された受信パラメータに基づいて行う。そして、得られた音声信号を音声処理部１２へ出力する。
【００１３】
なお、上記の受信処理において用いられる受信パラメータは、アンテナ２がアクティブアンテナである場合とパッシブアンテナである場合とで最適な値が異なるため、アンテナ２のタイプに応じた受信パラメータを設定する必要がある。この点については、後で詳しく説明する。
【００１４】
音声処理部１２は、チューナ部１１から出力された音声信号に対して音質調整等の所定の音声処理を行い、音声増幅部１３へ出力する。この音声処理部１２は、たとえばＤＳＰ（Digital Signal Processor）を用いて実現される。
【００１５】
音声増幅部１３は、音声処理部１２から出力された音声信号を増幅し、車両内に設置されているスピーカ３へ出力する。これにより、受信装置１で受信したラジオ放送等の音声がスピーカ３から出力される。
【００１６】
電源回路１４は、アンテナアンプ２０へ電源を供給するための電源電圧を出力する。アンテナ２がアクティブアンテナである場合は、この電源電圧を電源回路１４から受けることにより、アンテナアンプ２０へ電源が供給される。なお、アンテナ２がパッシブアンテナである場合は、アンテナ２が受信装置１に接続されると、図１（ｂ）に示すようにアンテナ２とチューナ部１１の間でのみ接続が確立され、電源回路１４とは接続されない。そのため、電源回路１４から出力された電源電圧がアンテナ２に入力されることはない。
【００１７】
記憶部１５は、制御部１０の処理において使用されるプログラムやデータを記憶して保存する。記憶部１５に記憶されているプログラムやデータは、制御部１０の制御により必要に応じて読み出されたり書き換えられたりする。この記憶部１５は、たとえばＥＥＰＲＯＭ（Electrically Erasable Programmable ROM）を用いて実現される。
【００１８】
ここで、受信装置１においてアンテナ２のタイプを判断する方法について説明する。受信装置１において、チューナ部１１が受信処理を適切に行うためには、前述のようにアンテナ２のタイプに応じた最適な受信パラメータを設定する必要がある。そのため、受信装置１は最初に、以下で説明するようなテストモードで動作し、アンテナ２がアクティブアンテナまたはパッシブアンテナのいずれのタイプであるかを判断する。
【００１９】
図２は、本発明の一実施形態による受信装置１のテストモードにおける処理を示すフローチャートである。このフローチャートに示す動作は、受信装置１において制御部１０により実行される。
【００２０】
ステップＳ１０において、制御部１０は、テストモードを開始するか否かを判定する。この判定は、たとえば、不図示の操作部材を用いてユーザから所定のテストモード開始操作が行われたか否かを判定することにより行われる。すなわち、ユーザからテストモード開始操作が行われた場合はテストモードを開始すると判定してステップＳ２０へ進み、そうでない場合はテストモードを開始しないと判定して図２のフローチャートを終了する。あるいは、記憶部１５の所定のアドレスにおいてテストモードを実行済みであるか否かを示すフラグの有無を調べてもよい。この場合、フラグなしであればテストモードを開始すると判定してステップＳ２０へ進み、フラグがあればテストモードを開始しないと判定して図２のフローチャートを終了する。なお、こうしたフラグを用いて判定を行う場合は、ステップＳ１０からステップＳ２０へ進んだら、その後に適当なタイミングでフラグを立てておくことが好ましい。
【００２１】
ステップＳ２０において、制御部１０は、電源回路１４の動作を停止し、電源回路１４から電源電圧が出力されないようにする。これにより、アンテナ２がアクティブアンテナである場合は、アンテナアンプ２０への電源供給が遮断される。
【００２２】
ステップＳ３０において、制御部１０は、チューナ部１１を制御してシーク選局を行う。このシーク選局では、チューナ部１１において、予め定められた放送周波数の範囲内で受信周波数を連続的に変化させたときに、アンテナ２で受信された放送信号の受信状況を検出する。具体的には、受信周波数を連続的に変化させながら放送信号の電界強度を検出し、所定値以上の電界強度が得られたら、そのときの受信周波数を受信可能局として検出する。これを放送周波数の範囲内で行うことにより、シーク選局を行うことができる。
【００２３】
ステップＳ４０において、制御部１０は、ステップＳ３０で行ったシーク選局において検出された受信可能局数と、各受信可能局に対応する電界強度とを記憶部１５に記憶させる。これらの情報は、記憶部１５において、アンテナアンプ２０への電源供給がオフであるときの受信状況として記憶される。
【００２４】
ステップＳ５０において、制御部１０は、電源回路１４を動作させ、電源回路１４から電源電圧が出力されるようにする。これにより、アンテナ２がアクティブアンテナである場合は、アンテナアンプ２０への電源供給が開始される。
【００２５】
ステップＳ６０において、制御部１０は、チューナ部１１を制御して、ステップＳ３０と同様のシーク選局を行う。
【００２６】
ステップＳ７０において、制御部１０は、ステップＳ６０で行ったシーク選局において検出された受信可能局数と、各受信可能局に対応する電界強度とを記憶部１５に記憶させる。これらの情報は、記憶部１５において、アンテナアンプ２０への電源供給がオンであるときの受信状況として記憶される。
【００２７】
ステップＳ８０において、制御部１０は、ステップＳ４０で記憶部１５に記憶されたアンテナアンプ２０への電源供給がオフであるときの受信可能局数および電界強度と、ステップＳ７０で記憶部１５に記憶されたアンテナアンプ２０への電源供給がオンであるときの受信可能局数および電界強度とをそれぞれ比較する。これにより、アンテナアンプ２０への電源供給がオフであるときにステップＳ３０のシーク選局において検出された受信状況と、アンテナアンプ２０への電源供給がオンであるときにステップＳ６０のシーク選局において検出された受信状況とを比較する。
【００２８】
ステップＳ９０において、制御部１０は、ステップＳ８０の比較結果に基づいて、アンテナ２がアクティブアンテナとパッシブアンテナのどちらであるかを判定する。ここでは、ステップＳ８０における受信可能局数と電界強度の比較結果のうち、いずれか一方、あるいは両方を用いて判定を行うことができる。
【００２９】
たとえば、受信可能局数の比較結果のみを用いて、電界強度の比較結果に関わらず、アンテナアンプ２０への電源供給がオフである場合とオンである場合とで受信可能局数が異なっていればアンテナ２がアクティブアンテナであると判定し、一致していればアンテナ２がパッシブアンテナであると判定する。また、これとは反対に、電界強度の比較結果のみを用いてもよい。あるいは、受信可能局数および電界強度の両方の比較結果を用いて、アンテナアンプ２０への電源供給がオフである場合とオンである場合とでこれらのいずれか少なくとも一方が異なっている場合はアンテナ２がアクティブアンテナであると判定し、両方とも一致している場合はアンテナ２がパッシブアンテナであると判定する。なお、電界強度については、アンテナアンプ２０への電源供給がオフである場合の値と、アンテナアンプ２０への電源供給がオンである場合の値との差が所定の範囲内であれば、これらの値が完全に同一でなくても一致と判定することが好ましい。
【００３０】
以上説明したようなステップＳ９０の判定により、アンテナ２がアクティブアンテナであると判定した場合はステップＳ１００へ進み、アンテナ２がパッシブアンテナであると判定した場合はステップＳ１２０へ進む。
【００３１】
ステップＳ９０からステップＳ１００へ進んだ場合、ステップＳ１００において、制御部１０は、アクティブアンテナ用の受信パラメータをチューナ部１１に対して設定する。記憶部１５には、アクティブアンテナ用の受信パラメータとして、アンテナ２がアクティブアンテナである場合に最適な受信パラメータの値が受信処理の種類ごとに予め記憶されている。これを制御部１０が記憶部１５から読み出してチューナ部１１へ出力すると、チューナ部１１は、前述のような各種の受信処理に対して受信パラメータをそれぞれ設定する。これにより、チューナ部１１において実行される受信処理がアクティブアンテナ用の受信パラメータに基づいて行われるようになる。
【００３２】
ステップＳ１１０において、制御部１０は、アンテナアンプ２０の電源をオンに設定する。このとき制御部１０は、電源回路１４に対して、ステップＳ５０で開始したアンテナアンプ２０への電源供給をそのまま継続させる。ステップＳ１１０を実行したら、制御部１０はテストモードを終了する。
【００３３】
一方、ステップＳ９０からステップＳ１２０へ進んだ場合、ステップＳ１２０において、制御部１０は、パッシブアンテナ用の受信パラメータをチューナ部１１に対して設定する。記憶部１５には、パッシブアンテナ用の受信パラメータとして、アンテナ２がパッシブアンテナである場合に最適な受信パラメータの値が受信処理の種類ごとに予め記憶されている。これを制御部１０が記憶部１５から読み出してチューナ部１１へ出力すると、チューナ部１１は、前述のような各種の受信処理に対して受信パラメータをそれぞれ設定する。これにより、チューナ部１１において実行される受信処理がパッシブアンテナ用の受信パラメータに基づいて行われるようになる。
【００３４】
ステップＳ１３０において、制御部１０は、アンテナアンプ２０の電源をオフに設定する。このとき制御部１０は、電源回路１４に対して、ステップＳ５０で開始したアンテナアンプ２０への電源供給を停止させる。ステップＳ１３０を実行したら、制御部１０はテストモードを終了する。
【００３５】
なお、ステップＳ１００またはＳ１２０で設定した受信パラメータの設定状態と、ステップＳ１１０またはＳ１３０で設定したアンテナアンプ電源の設定状態とは、受信装置１の電源が切断されても保持されるように、記憶部１５において記憶される。以後は受信装置１の動作が開始されると、これらの設定状態が記憶部１５から読み出され、制御部１０の制御によりチューナ部１１および電源回路１４において再現される。すなわち、ステップＳ１００およびＳ１１０を実行した場合は、チューナ部１１においてアクティブアンテナ用の受信パラメータが設定されると共に、電源回路１４からアンテナアンプ２０への電源供給が行われる。受信装置１は、この状態で放送を受信することにより、アクティブアンテナに適した受信動作を行うことができる。一方、ステップＳ１２０およびＳ１３０を実行した場合は、チューナ部１１においてパッシブアンテナ用の受信パラメータが設定されると共に、電源回路１４からアンテナアンプ２０への電源供給が停止される。受信装置１は、この状態で放送を受信することにより、パッシブアンテナに適した受信動作を行うことができる。
【００３６】
以上説明した本発明の一実施形態によれば、次の（１）〜（７）のような作用効果を奏する。
【００３７】
（１）受信装置１において、チューナ部１１は、ステップＳ３０、Ｓ６０のシーク選局において、所定の周波数範囲内で受信周波数を連続的に変化させたときにアンテナ２で受信された放送信号の受信状況を検出する。制御部１０は、電源回路１４から電源電圧を出力していないときにステップＳ３０のシーク選局においてチューナ部１１により検出された放送信号の受信状況と、電源回路１４から電源電圧を出力しているときにステップＳ６０のシーク選局においてチューナ部１１により検出された放送信号の受信状況とを比較し（ステップＳ８０）、その比較結果に基づいて、アンテナ２がアクティブアンテナとパッシブアンテナのいずれであるかを判断する（ステップＳ９０）。このようにしたので、アンテナアンプ２０の電流を検出することなく、受信装置１に接続されているアンテナ２の種類を判断することができる。
【００３８】
（２）チューナ部１１は、ステップＳ３０、Ｓ６０のシーク選局において、放送信号の受信状況として受信可能局数を検出する。制御部１０は、ステップＳ８０において、電源回路１４から電源電圧を出力していないときの受信可能局数と、電源回路１４から電源電圧を出力しているときの受信可能局数とを比較する。このようにしたので、アンテナアンプ２０への電源供給がオフである場合とオンである場合とで、放送信号の受信状況を容易に比較することができる。
【００３９】
（３）制御部１０は、ステップＳ８０の比較結果において、電源回路１４から電源電圧を出力していないときの受信可能局数と、電源回路１４から電源電圧を出力しているときの受信可能局数とが一致する場合は、アンテナ２がパッシブアンテナであるとステップＳ９０で判定することができる。反対に、ステップＳ８０の比較結果において、電源回路１４から電源電圧を出力していないときの受信可能局数と、電源回路１４から電源電圧を出力しているときの受信可能局数とが異なる場合は、アンテナ２がアクティブアンテナであるとステップＳ９０で判定することができる。そのため、アンテナ２がパッシブアンテナであるかアクティブアンテナであるかを簡単かつ確実に判定することができる。
【００４０】
（４）またチューナ部１１は、ステップＳ３０、Ｓ６０のシーク選局において、放送信号の受信状況として、受信可能局に対する電界強度を検出する。制御部１０は、ステップＳ８０において、電源回路１４から電源電圧を出力していないときの受信可能局に対する電界強度と、電源回路１４から電源電圧を出力しているときの受信可能局に対する電界強度とを比較する。このようにしたので、アンテナアンプ２０への電源供給がオフである場合とオンである場合とで、放送信号の受信状況を容易に比較することができる。
【００４１】
（５）制御部１０は、ステップＳ８０の比較結果において、電源回路１４から電源電圧を出力していないときの受信可能局に対する電界強度と、電源回路１４から電源電圧を出力しているときの受信可能局に対する電界強度との差が所定の範囲内である場合は、アンテナ２がパッシブアンテナであるとステップＳ９０で判定することができる。反対に、ステップＳ８０の比較結果において、電源回路１４から電源電圧を出力していないときの受信可能局に対する電界強度と、電源回路１４から電源電圧を出力しているときの受信可能局に対する電界強度とが上記範囲外である場合は、アンテナ２がアクティブアンテナであるとステップＳ９０で判定することができる。そのため、アンテナ２がパッシブアンテナであるかアクティブアンテナであるかを簡単かつ確実に判定することができる。
【００４２】
（６）制御部１０は、ステップＳ９０でアンテナ２がパッシブアンテナであると判定された場合と、ステップＳ９０でアンテナ２がアクティブアンテナであると判定された場合とで、互いに異なる受信パラメータをチューナ部１１に対して設定する（ステップＳ１００、Ｓ１２０）。このようにしたので、以後はアンテナ２の種類に応じてそれぞれ最適な受信処理を行うことができる。
【００４３】
（７）ステップＳ９０でアンテナ２がパッシブアンテナであると判定された場合、制御部１０によりアンテナアンプ２０の電源をオフに設定する（ステップＳ１３０）ことで、電源回路１４は以後の電源電圧の出力を停止する。このようにしたので、不要な電源電圧の出力を停止することができる。
【００４４】
なお、以上説明した実施の形態において、図２のステップ９０でアンテナ２がアクティブアンテナであると判定された場合、以後の動作では、受信した放送信号の電界強度が所定値以上であるときに電源回路１４からの電源電圧の出力を停止してもよい。このようにすれば、電界強度が強いときには、アンテナアンプ２０への電源供給を停止してアンテナアンプ２０で放送信号が増幅されるのを防ぐことができる。これにより、チューナ部１１で復調した音声信号が強電界時に飽和してしまうのを避けることができる。
【００４５】
また、以上説明した実施の形態では、シーク選局時の受信状況として受信可能局数と電界強度を検出する例を説明したが、これ以外のものを用いて受信状況の検出を行ってもよい。たとえば、デジタル放送を受信する場合は、電界強度の代わりにＢＥＲ（Bit Error Rate）を用いても受信状況を検出することができる。
【００４６】
さらに、以上説明した実施の形態では、車両に搭載されてラジオ放送を受信する受信装置１を例として説明したが、本発明の適用範囲はこれに限定されない。たとえば、車両に搭載されずに使用される受信装置や、各種データ信号を受信する受信装置など、様々な受信装置において本発明を適用可能である。すなわち、アクティブアンテナとパッシブアンテナを含む異なるタイプのアンテナを接続可能な受信装置であれば、どのような受信装置であっても本発明の適用範囲内に含まれる。
【００４７】
以上説明した実施の形態や各種の変形例はあくまで一例であり、発明の特徴が損なわれない限り、本発明はこれらの内容に限定されるものではない。
【符号の説明】
【００４８】
１：受信装置、２：アンテナ、３：スピーカ、１０：制御部、１１：チューナ部、１２：音声処理部、１３：音声増幅部、１４：電源回路、１５：記憶部、２０：アンテナアンプ
【図１】
2013197983.tif 000003
【図２】
2013197983.tif 000004